(57)【要約】【課題】機器本体の内外の記録媒体の搬送を確実に行うことを可能とする情報処理装置を提供する。【解決手段】ＣＤプレーヤ１は機器本体３とこの機器本体３のＣＤを出し入れする搬送ユニット５と回転振動部７を備えている。搬送ユニット５はモータ４からの駆動力により回転駆動されて機器本体３内にＣＤ２を出し入れする搬送位置とモータ４からの駆動力の伝達が解除される停止位置とに亘って変位自在に設けられた搬送ローラ２０を備えている。回転振動部７は機器本体３の奥行き方向Ｙに往復移動自在に設けられかつ停止位置の搬送ローラ２０の芯軸２１の外周面に先端が接触しているとともに機器本体３の奥行き方向Ｙに往復移動すると搬送ローラ２０を回転させる突没部３５を有している。【選択図】図２
2009181664.tif 000002
【特許請求の範囲】
【請求項１】
機器本体と、
駆動源からの駆動力により回転駆動されて前記機器本体内に記録媒体を出し入れする搬送位置と前記駆動源からの駆動力の伝達が解除される停止位置とに亘って変位自在に設けられた搬送ローラと、を備えた情報処理装置において、
前記機器本体の奥行き方向に往復移動自在に設けられかつ前記停止位置の前記搬送ローラの外周面に先端が接触しているとともに前記機器本体の奥行き方向に往復移動すると前記搬送ローラを回転させる突没部を有した回転振動部と、
を備えたことを特徴とする情報処理装置。
【請求項２】
前記搬送ローラの一端部に前記駆動源からの駆動力が伝達される歯車部材が取り付けられているとともに
前記突没部が前記搬送ローラの他端部の外周面に接触する位置に前記回転振動部が配置されていることを特徴とする請求項１記載の情報処理装置。
【請求項３】
前記回転振動部は、前記突没部を奥行き方向に往復移動させる圧電振動子を備えていることを特徴とする請求項１又は請求項２記載の情報処理装置。
【請求項４】
前記搬送ローラを前記搬送位置から前記停止位置に向かって付勢する付勢手段をさらに備え、
前記突没部は、前記搬送ローラの外周面のうちの当該搬送ローラが前記停止位置から前記搬送位置に向かって変位する方向の背面側の箇所に先端が接触していることを特徴とする請求項１乃至請求項３のうちいずれか一項に記載の情報処理装置。
【発明の詳細な説明】
【技術分野】
【０００１】
本発明は、例えば、Compact Discなどの記録媒体から情報を読み出す情報処理装置に関する。
【背景技術】
【０００２】
例えば、移動体としての自動車のインストルメントパネル（以下インパネと呼ぶ）には、情報処理装置としてのＣＤプレーヤが取り付けられる。ＣＤプレーヤは、記録媒体としてのCompact Disc（以下ＣＤと呼ぶ）が記録した情報を読み出す。
【０００３】
ＣＤプレーヤは、前記インパネに取り付けられる機器本体と、ＣＤを機器本体の内外に出し入れする搬送ユニットと、前記ＣＤに記録された情報を読み出すための再生ユニットとを備えている。機器本体は、扁平な箱状に形成されている。記録媒体挿入口は、内側に前記ＣＤが通される。
【０００４】
搬送ユニットは、記録媒体挿入口内を通されたＣＤを所定の再生位置まで搬送したり、前記再生位置からＣＤを記録媒体挿入口まで搬送して該ＣＤを機器本体内から排出する。再生ユニットは、機器本体内に収容されたＣＤから情報を読み出して音声として出力する。
【０００５】
前述した搬送ユニットは、機器本体に固定された平板状のディスクガイドと、搬送ローラとを備えている。搬送ローラは、前記ディスクガイドに近接して当該ディスクガイドとの間にＣＤを挟むとともに駆動源としてのモータによって回転駆動される搬送位置と、前記ディスクガイドと間隔をあけかつモータからの駆動力の伝達が解除されて停止した状態に保たれる停止位置とに亘って変位自在に設けられている。
【０００６】
従来のＣＤプレーヤは、前述した搬送ユニットが機器本体にＣＤを出し入れし、再生ユニットが機器本体内のＣＤの情報を読み出して再生する。
【発明の開示】
【発明が解決しようとする課題】
【０００７】
しかしながら、前述した従来のＣＤプレーヤは、機器本体内に侵入した埃などが搬送ローラに付着すると、当該搬送ローラとＣＤとの間の摩擦係数が低下して、搬送ユニットが機器本体の内外にＣＤを搬送しようとしても搬送ローラがＣＤの表面上でスリップしてしまい、当該搬送ユニットが機器本体の内外にＣＤを搬送し難くなる傾向であった。特に、機器本体外にＣＤを排出することが困難となる傾向であった。
【０００８】
この種の問題を解決するために、従来のＣＤプレーヤの搬送ユニットは、ディスクガイドに小型のローラを回転自在に設け、当該ローラがＣＤの移動とともに回転することで、ＣＤを搬送する際の搬送ローラの回転に必要とされる力を低減することで、ＣＤの確実な搬送を図っている。この場合においても、搬送ローラに付着する埃などの量が増加すると、当該搬送ローラとＣＤとの間の摩擦係数が低下して、搬送ユニットのＣＤの搬送が困難となる傾向であった。
【０００９】
したがって、本発明の目的は、例えば、機器本体の内外の記録媒体の搬送を確実に行うことを可能とする情報処理装置を提供することにある。
【課題を解決するための手段】
【００１０】
前記課題を解決し目的を達成するために、請求項１に記載の本発明の情報処理装置は、機器本体と、駆動源からの駆動力により回転駆動されて前記機器本体内に記録媒体を出し入れする搬送位置と前記駆動源からの駆動力の伝達が解除される停止位置とに亘って変位自在に設けられた搬送ローラと、を備えた情報処理装置において、前記機器本体の奥行き方向に往復移動自在に設けられかつ前記停止位置の前記搬送ローラの外周面に先端が接触しているとともに前記機器本体の奥行き方向に往復移動すると前記搬送ローラを回転させる突没部を有した回転振動部と、を備えたことを特徴としている。
【発明を実施するための最良の形態】
【００１１】
以下、本発明の一実施形態にかかる情報処理装置を説明する。本発明の一実施形態にかかる情報処理装置は、停止位置の搬送ローラの外周面に先端が接触した突没部を奥行き方向に往復移動させる回転振動部を設けている。こうすることで、停止位置即ち例えば記録媒体からの情報を再生する際などの搬送ローラが記録媒体の搬送を行わない際に、突没部の先端が搬送ローラの外周面を押圧するなどして、当該搬送ローラを振動させながら軸芯回りに回転させる。このため、搬送ローラの外周面に付着した埃などを前述した振動によって当該搬送ローラの外周面から分離させることができ、搬送ローラを回転することで分離した埃を搬送ローラから落下させるなどして、確実に除去することができる。したがって、搬送ローラに埃が付着することを防止でき、機器本体の内外の記録媒体の搬送を確実に行うことができる。
【００１２】
搬送ローラの一端部に駆動源からの駆動力が伝達される歯車部材が取り付けられ、突没部が搬送ローラの他端部の外周面に接触する位置に回転振動部を設けているので、機器本体内に歯車部材や回転振動を効率よく配置することができ、搬送ローラの確実な回転を図りながらも搬送ローラからの埃などの確実な分離を図ることができる。
【００１３】
また、回転振動部は、圧電振動子を備えているので、高い周波数で搬送ローラを振動させることができ、当該搬送ローラから埃などを確実に分離させることができる。
【００１４】
また、搬送ローラを搬送位置から停止位置に向かって付勢する付勢手段をさらに備え、
突没部の先端が、前記搬送ローラの外周面のうちの当該搬送ローラが前記停止位置から前記搬送位置に向かって変位する方向の背面側の箇所にしても良い。この場合、突没部が搬送ローラに近づく際に付勢手段の付勢力に抗して搬送ローラを押圧し、その際に搬送ローラを回転させることができる。
【実施例】
【００１５】
以下、本発明の一実施例にかかる情報処理装置の一例としてのＣＤプレーヤ１を、図１ないし図１６に基づいて説明する。図１などに示すＣＤプレーヤ１は、移動体としての自動車のインストルメントパネル（以下、インパネと呼ぶ）などに取り付けられて、記録媒体としてのＣＤ２（図５及び図８に示す）を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１６】
ＣＤプレーヤ１は、図１及び図２に示すように、機器本体３（図１に示す）と、駆動源としてのモータ４（図７などに示す）と、搬送ユニット５と、クランプ再生ユニット６と、図示しない連動機構と、回転振動部７とを備えている。なお、以下、ＣＤ２の表面と搬送ユニット５のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００１７】
機器本体３は、合成樹脂からなる図１に示す外側ケース８と、図２に示すシャーシ本体９とを備えている。
【００１８】
外側ケース８は、扁平な箱状に形成されている。外側ケース８の前述したインパネに取り付けると乗員に相対する前面８ａ（図２に示す）には、ＣＤ２を出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００１９】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２０】
さらに、前述した前面８ａには、表示パネルとしての蛍光表示管１１と、各種のスイッチ１２とが設けられている。
【００２１】
蛍光表示管１１は、前面８ａに露出して、使用者に対し各種の情報を表示する表示領域としての表示面を備えている。蛍光表示管１１は、表示面に再生中のプログラム名等の情報を表示する。
【００２２】
各種のスイッチ１２は、使用者が操作するための操作部を構成している。スイッチ１２が使用者などに操作されることによって、例えば、クランプ再生ユニット６が再生するＣＤ２のプログラムの選択やＣＤ２の出し入れなどが行われる。
【００２３】
シャーシ本体９は、図２などに示すように、板金などが折り曲げられて形成されている。シャーシ本体９は、図２に示すように、略平坦な底壁１３と、該底壁１３の外縁から立設した複数の周壁１４と、を備えている。
【００２４】
モータ４は、挿入口１０と図２中奥側に位置する周壁１４の近傍に配置されている。モータ４は、シャーシ本体９に固定されている。モータ４の出力軸には、ウォーム１５が取り付けられている。また、ウォーム１５には、シャーシ本体９にその軸芯周りに回転自在に支持されたウォーム歯車１６の小径歯車部１６ａが噛合している。なお、このウォーム歯車１６の回転中心は、幅方向Ｘと平行であるとともに、ウォーム歯車１６は、互いに同軸な大径歯車部１６ｂと小径歯車部１６ａとが一体に設けられている。
【００２５】
搬送ユニット５は、機器本体３内に収容されかつ挿入口１０の近傍に配置されており、挿入口１０内にＣＤ２を通して、該ＣＤ２を機器本体３に出し入れする。搬送ユニット５は、図２、図５及び図８に示すように、ディスクガイド１７と、ローラアーム１８と、付勢手段としてのコイルばね３３（図６及び図９に示す）とを備えている。
【００２６】
ディスクガイド１７は、ＣＤ２との摩擦係数の小さな合成樹脂で構成され、かつ平板状に形成されている。ディスクガイド１７は、底壁１３と間隔をあけて当該底壁１３と平行となるように、周壁１４の底壁１３から離れた側の先端に取り付けられている。ディスクガイド１７は、その平面形状が矩形状に形成されているとともに、幅方向Ｘと平行に配置されている。
【００２７】
ローラアーム１８は、前記挿入口１０の近傍に配されている。ローラアーム１８は、図７及び図１０に示すように、板金などからなるアーム本体１９と、搬送ローラ２０とを備えている。
【００２８】
アーム本体１９は、長手方向が幅方向Ｘに沿った帯状に形成されている。アーム本体１９は、その幅方向の挿入口１０寄りの一方の縁部を中心として底壁１３に回転自在に支持されている。アーム本体１９の回転中心は、幅方向Ｘと平行である。付勢手段としてのコイルばね３３（図６及び図９に示す）は、アーム本体１９をその幅方向の他方の縁部が底壁１３に近づく方向に付勢している。
【００２９】
搬送ローラ２０は、図５及び図８に示すように、互いに同軸に配置された円柱状の芯軸２１と、当該芯軸２１の外周に設けられたゴムなどの弾性を有する合成樹脂で構成されたローラ本体２２とを備えている。芯軸２１即ち搬送ローラ２０は、アーム本体１９の前記他方の縁部にその軸芯周りに回転自在に支持されている。このため、勿論、芯軸２１即ち搬送ローラ２０の回転中心は、幅方向Ｘと平行である。
【００３０】
搬送ローラ２０の芯軸２１は、その両端部２１ａ，２１ｂがローラアーム１８から幅方向Ｘに突出した状態で、当該ローラアーム１８に回転自在に支持されている。搬送ローラ２０の芯軸２１の一端部２１ａには、歯車部材としての歯車２３が取り付けられている。
【００３１】
搬送ローラ２０は、ローラアーム１８が前述した一方の縁部を中心として回転することで、前記歯車２３がウォーム歯車１６の大径歯車部１６ｂと噛合する搬送位置（図１０に示す）と、前記歯車２３がウォーム歯車１６の大径歯車部１６ｂと間隔をあける停止位置（図７に示す）とに亘って変位自在に設けられている。搬送位置では、搬送ローラ２０は、モータ４の駆動力によりその軸芯周りに回転駆動されて、ディスクガイド１７との間にＣＤ２を挟んで、当該ＣＤ２を機器本体３に出し入れする。停止位置では、モータ４の駆動力の伝達が解除されて停止した状態を維持するとともに、ディスクガイド１７から離間する。
【００３２】
クランプ再生ユニット６は、機器本体３内に収容されており、図７及び図１０に示すように、図示しない固定シャーシと、回転テーブル２４と、スピンドルモータ２５と、クランプアーム２６（図２及び図４に示す）と、クランパ２７（図２及び図４に示す）と、図示しない光ピックアップ部を備えている。
【００３３】
固定シャーシは、板金で構成され、平板状に形成されている。固定シャーシは、その両表面がＣＤ２の表面と平行な状態で機器本体３内に収容されている。即ち、固定シャーシの両表面は、幅方向Ｘと奥行き方向Ｙとの双方と平行である。固定シャーシは、機器本体３のシャーシ本体９などに固定されている。
【００３４】
回転テーブル２４は、円板状に形成されかつ固定シャーシの中央に回転自在に設けられている。
【００３５】
スピンドルモータ２５は、その本体部が固定シャーシに固定されているとともに、その出力軸に回転テーブル２４が取り付けられている。スピンドルモータ２５は、回転テーブル２４をその軸芯周りに回転する。
【００３６】
クランプアーム２６は、板金で構成され、平板状に形成されている。クランプアーム２６は、機器本体３内に収容され、かつその両表面がＣＤ２の表面と略平行な状態であるとともに、固定シャーシに重ねられている。即ち、クランプアーム２６の両表面は、幅方向Ｘと奥行き方向Ｙとの双方と略平行である。
【００３７】
クランプアーム２６は、挿入口１０より離れた側の端部を中心として回転自在に、固定シャーシに支持されている。クランプアーム２６の回転中心は、幅方向Ｘと平行である。
【００３８】
クランパ２７は、円板状に形成されているとともに、クランプアーム２６に軸芯を中心として回転自在に支持されている。また、クランパ２７は、クランプアーム２６の挿入口１０寄りの端部に取り付けられて、厚み方向Ｚに沿って、回転テーブル２４と相対する。クランパ２７は、回転テーブル２４との間にＣＤ２を挟んで、クランプする。クランパ２７と回転テーブル２４との間にＣＤ２を挟んでクランプすると、これらのクランパ２７、回転テーブル２４及びＣＤ２は、機器本体３に対して一体に軸芯Ｐ回りに回転自在となる。
【００３９】
クランパ２７は、回転テーブル２４との間にＣＤ２を挟んでクランプして、スピンドルモータ２５により回転テーブル２４とＣＤ２とともに回転する。
【００４０】
光ピックアップ部は、固定シャーシに設けられている。光ピックアップ部は、クランパ２７と回転テーブル２４との間にクランプされたＣＤ２の径方向に沿って移動自在に設けられ、かつＣＤ２から情報を読み出す光ピックアップを備えている。
【００４１】
光ピックアップ部は、光ピックアップをＣＤ２の径方向に移動して、クランパ２７と回転テーブル２４との間にクランプされたＣＤ２の記録面の任意の位置から情報を読み出す。
【００４２】
連動機構は、搬送ローラ２０のディスクガイド１７に接離する動作と、クランパ２７の回転テーブル２４に接離する動作とを互いに連動させる。連動機構は、図１０に示すように搬送ローラ２０がディスクガイド１７に近づいて前述した搬送位置に位置付けられると、図４に示すようにクランパ２７を回転テーブル２４から遠ざけてこれらのクランパ２７と回転テーブル２４との間にＣＤ２を出し入れ自在とする。連動機構は、図７に示すように搬送ローラ２０がディスクガイド１７から離れて前述した停止位置に位置付けられると、図３に示すようにクランパ２７を回転テーブル２４に近づけてこれらのクランパ２７と回転テーブル２４との間にＣＤ２をクランプさせる。
【００４３】
回転振動部７は、図２に示すように、挿入口１０の近傍に配置され、かつ図２中手前側に位置する周壁１４の外表面に固定されている。回転振動部７は、図１１に示すように、圧電振動子２８と、カウンタ部２９と、ホーン３０と、固定ボルト３１とを備えている。
【００４４】
圧電振動子２８は、その両表面に電極３２が形成されている。これらの電極３２は、その表面が奥行き方向Ｙに対して直交する状態に配置されている。これらの電極３２には、図示しない発振回路などが接続している。圧電振動子２８は、発振回路により所定の周波数で電圧が印加されると、図１１中左側に位置する一方の電極３２に電圧が印加され、図１１中右側に位置する他方の電極３２には逆電圧が印加され、この逆電圧は固定ボルト３１を介してホーン３０にも印加される。これにより二つの圧電振動子２８は同位相で膨張、収縮し、ホーン３０を奥行き方向Ｙに往復移動させる。
【００４５】
カウンタ部２９は、その軸芯が奥行き方向Ｙと平行な円柱状に形成され、圧電振動子２８の図１１中右側に位置する他方の電極３２に取り付けられている。カウンタ部２９は、周壁１４に固定されている。
【００４６】
ホーン３０は、互いに同軸に配置された本体部３４と棒状に形成された突没部３５とを一体に備えている。本体部３４は、前述した一方の電極３２に取り付けられている。即ち、本体部３４は、圧電振動子２８やカウンタ部２９を介して機器本体３のシャーシ本体９の周壁１４に固定されている。本体部３４は、前記電極３２から離れるのにしたがって徐々に外径が縮小する四角錐台状に形成されているとともに、その軸芯が奥行き方向Ｙと平行に配置されている。
【００４７】
突没部３５は、本体部３４から挿入口１０(機器本体３の奥側から挿入口１０)に向かって直線状に延在した平板状に形成されている。突没部３５の表面は、幅方向Ｘと奥行き方向Ｙとの双方に平行に配置されている。突没部３５の先端は、圧電振動子２８が前述したように振動すると、勿論本体部３４とともに奥行き方向Ｙに往復移動する。このように、突没部３５は、機器本体の奥行き方向Ｙに往復移動自在に設けられている。
【００４８】
固定ボルト３１は、カウンタ部２９と圧電振動子２８とホーン３０の本体部３４に順に貫通し、カウンタ部２９とホーン３０の本体部３４に螺合して、これらを互いに固定している。絶縁スリーブ３６は、絶縁性の材料で構成され、円筒状に形成されている。絶縁スリーブ３６は、圧電振動子２８内に設けられ、固定ボルト３１を通して、電極３２同士を電気的に絶縁している。
【００４９】
また、突没部３５の先端には、図３及び図６に示すように、前述した停止位置に位置付けられた搬送ローラ２０の芯軸２１のローラアーム１８から幅方向Ｘに突出した他端部２１ｂの外周面が接触した状態で重ねられる。突没部３５は、図１２に示すように、常に、その先端が搬送ローラ２０の軸芯よりも挿入口１０から離れた側に位置する。さらに、突没部３５の先端には、図４及び図９に示すように、前述した搬送位置に位置付けられた搬送ローラ２０の芯軸２１のローラアーム１８から幅方向Ｘに突出した他端部２１ｂが接触しない。
【００５０】
前述した構成のＣＤプレーヤ１は、挿入口１０を通して機器本体３にＣＤ２を収容していない状態では、連動機構が、図４及び図１０に示すように、搬送ユニット５の搬送ローラ２０を搬送位置に位置付けておくとともに、クランパ２７を回転テーブル２４から遠ざけて、これらの間にＣＤ２を出し入れ自在にしておく。なお、この状態では、回転振動部７の圧電振動子２８の電極３２，３２には発振回路を介しての電圧が印加されておらず、突没部３５が最も挿入口１０から離れた位置に位置付けられている。
【００５１】
そして、挿入口１０を通して機器本体３にＣＤ２が挿入されると、ＣＤプレーヤ１は、モータ４がＣＤ２を機器本体３内に収容する方向に搬送ローラ２０を回転駆動する。すると、ＣＤ２が搬送ローラ２０の回転駆動により、回転テーブル２４とクランパ２７との間に向けて送り出される。
【００５２】
そして、ＣＤプレーヤ１は、ＣＤ２が回転テーブル２４とクランパ２７との間に位置すると、連動機構がクランパ２７が回転テーブル２４に近づく方向にクランプアーム２６を回転させて、図３に示すように、回転テーブル２４とクランパ２７との間にＣＤ２を挟んでクランプする。さらに、回転テーブル２４とクランパ２７との間にＣＤ２を挟んでクランプする際に、図７に示すように、搬送ローラ２０をディスクガイド１７から遠ざけて、当該搬送ローラ２０を停止位置に位置付ける。そして、ＣＤプレーヤ１は、スピンドルモータ２５がＣＤ２を回転するとともに、光ピックアップがＣＤ２から情報を読み出して音声として出力する。
【００５３】
このとき、図６及び図１２に示すように、回転振動部７の突没部３５の先端に搬送ローラ２０の芯軸２１の他端部２１ｂの外周面が接触した状態で重ねられる。すると、勿論、コイルばね３３が搬送ローラ２０を搬送位置から停止位置に向かって付勢しているので、突没部３５は、搬送ローラ２０の芯軸２１の他端部２１ｂの外周面のうちの当該搬送ローラ２０が前記停止位置から前記搬送位置に向かって変位する方向の背面側の箇所に先端が接触している。その後、ＣＤプレーヤ１は、発振回路が圧電振動子２８の電極３２，３２に印加して、圧電振動子２８の電極３２即ち突没部３５が前述した周波数で奥行き方向Ｙに振動する。なお、この振動は所定の期間だけ行ってもよいし、再生中に常に行ってもよい。このとき、図１２に示す状態から突没部３５が挿入口１０側に移動すると、突没部３５の先端が搬送ローラ２０の芯軸２１の外周面を奥行き方向Ｙに沿って挿入口１０に向かって押圧する。
【００５４】
すると、図１３及び図１４に順に示すように、突没部３５の先端が、コイルばね３３の付勢力に抗して、搬送ローラ２０をディスクガイド１７に向かって押圧するとともに、搬送ローラ２０の芯軸２１の外周面の突没部３５の先端が接触した箇所が挿入口１０に近づく方向（図中に矢印Ｋで示す）に芯軸２１即ち搬送ローラ２０を回転させる。
【００５５】
図１４に示す最も挿入口１０寄りに位置付けられた状態から、突没部３５が図１５及び図１６に順に示すように挿入口１０から離れる方向に移動すると、前述した突没部３５が挿入口１０に向かって移動した際の慣性により芯軸２１即ち搬送ローラ２０が矢印Ｋに沿って回転するとともに、コイルばね３３の付勢力によって、搬送ローラ２０がディスクガイド１７から離れる方向に移動する。このように、ＣＤプレーヤ１は、回転振動部７が突没部３５を機器本体３の奥行き方向Ｙに往復移動させることで、搬送ローラ２０を厚み方向Ｚに振動させながら矢印Ｋに沿って回転させる。
【００５６】
ＣＤ２を機器本体３から排出する際には、ＣＤプレーヤ１は、回転振動部７の突没部３５の本体部３４から突没を停止してから、連動機構がクランパ２７を回転テーブル２４から離して、ＣＤ２のクランプを解除する。そして、搬送ユニット５が、ＣＤ２を挿入口１０内に通して、該ＣＤ２を機器本体３外に排出する。
【００５７】
本実施例によれば、停止位置の搬送ローラ２０の芯軸２１の外周面に先端が接触した突没部３５を奥行き方向Ｙに往復移動させる際に当該搬送ローラ２０を回転させる回転振動部７を設けている。このため、停止位置即ち例えばＣＤ２からの情報を再生する際などの搬送ローラ２０がＣＤ２の搬送を行わない際に、突没部３５の先端が搬送ローラ２０の芯軸２１の外周面を押圧するなどして、当該搬送ローラ２０を振動させながら軸芯回りに回転させる。
【００５８】
このため、搬送ローラ２０の外周面に付着した埃などを前述した振動によって当該搬送ローラ２０の外周面から分離させることができ、搬送ローラ２０を回転することで分離した埃を搬送ローラ２０から落下させることができ、確実に搬送ローラ２０の表面から除去することができる。したがって、搬送ローラ２０に埃が付着することを防止でき、機器本体３の内外のＣＤ２の搬送を確実に行うことができる。
【００５９】
搬送ローラ２０の芯軸２１の一端部２１ａにモータ４からの駆動力が伝達される歯車２３が取り付けられ、突没部３５が搬送ローラ２０の芯軸２１の他端部２１ｂの外周面に接触する位置に回転振動部７を設けているので、機器本体３内に歯車２３や回転振動部７を効率よく配置することができ、搬送ローラ２０の確実な回転を図りながらも搬送ローラ２０からの埃などの確実な分離を図ることができる。
【００６０】
また、回転振動部７は圧電振動子２８を備えているので、高い周波数で搬送ローラ２０を振動させることができ、当該搬送ローラ２０から埃などを確実に分離させることができる。
【００６１】
また、搬送ローラ２０を搬送位置から停止位置に向かって付勢するコイルばね３３をさらに備え、突没部３５は、搬送ローラ２０の芯軸２１の他端部２１ｂの外周面のうちの当該搬送ローラ２０が停止位置から搬送位置に変位する方向の背面側の箇所に先端が接触しているので、突没部３５が搬送ローラ２０に近づく際にコイルばね３３の付勢力に抗して搬送ローラ２０を押圧し、その際に搬送ローラ２０を回転させることができる。
【００６２】
前述した実施例では、回転振動部７は圧電振動子２８により突没部３５を奥行き方向Ｙに往復移動自在としているが、本発明では、圧電振動子２８を用いることなく突没部３５を奥行き方向Ｙに往復移動させても良い。さらに、本発明では、ＣＤに限らず種々の記録媒体の情報を再生しても良いことは勿論である。
【００６３】
前述した実施例によれば、以下のＣＤプレーヤ１が得られる。
【００６４】
（付記）  機器本体３と、
モータ４からの駆動力により回転駆動されて前記機器本体３内にＣＤ２を出し入れする搬送位置と前記モータ４からの駆動力の伝達が解除される停止位置とに亘って変位自在に設けられた搬送ローラ２０と、を備えたＣＤプレーヤ１において、
前記機器本体３の奥行き方向Ｙに往復移動自在に設けられかつ前記停止位置の前記搬送ローラ２０の外周面に先端が接触しているとともに前記機器本体３の奥行き方向Ｙに往復移動すると前記搬送ローラ２０を回転させる突没部３５を有した回転振動部７と、
を備えたことを特徴とするＣＤプレーヤ１。
【００６５】
付記によれば、停止位置の搬送ローラ２０の芯軸２１の外周面に先端が接触した突没部３５を奥行き方向Ｙに往復移動させる際に当該搬送ローラ２０を回転させる回転振動部７を設けている。このため、停止位置即ち例えばＣＤ２からの情報を再生する際などの搬送ローラ２０がＣＤ２の搬送を行わない際に、突没部３５の先端が搬送ローラ２０の芯軸２１の外周面を押圧するなどして、当該搬送ローラ２０を振動させながら軸芯回りに回転させる。
【００６６】
このため、搬送ローラ２０の外周面に付着した埃などを前述した振動によって当該搬送ローラ２０の外周面から分離させることができ、搬送ローラ２０を回転することで分離した埃を搬送ローラ２０から落下させることができ、確実に搬送ローラ２０の表面から除去することができる。したがって、搬送ローラ２０に埃が付着することを防止でき、機器本体３の内外にＣＤ２の搬送を確実に行うことができる。
【００６７】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６８】
【図１】本発明の一実施例にかかるＣＤプレーヤを示す斜視図である。
【図２】図１に示されたＣＤプレーヤの内部機構を示す斜視図である。
【図３】図２に示されたＣＤプレーヤの内部機構を示す側面図である。
【図４】図３に示されたＣＤプレーヤの搬送ユニットの搬送ローラとディスクガイドとが互いに近づいた状態を示す側面図である。
【図５】図３に示されたＣＤプレーヤのクランプ再生ユニットがＣＤをクランプした状態の平面を模式的に示す説明図である。
【図６】図５中の矢印ＶＩ方向からみた側面を模式的に示す説明図である。
【図７】図５中の矢印ＶＩＩ方向からみた側面を模式的に示す説明図である。
【図８】図４に示されたＣＤプレーヤの搬送ユニットがＣＤを出し入れする状態の平面を模式的に示す説明図である。
【図９】図８中の矢印ＩＸ方向からみた側面を模式的に示す説明図である。
【図１０】図８中の矢印Ｘ方向からみた側面を模式的に示す説明図である。
【図１１】図２に示されたＣＤプレーヤの回転振動部の断面図である。
【図１２】図６に示された回転振動部の突没部と搬送ローラの芯軸を拡大して示す説明図である。
【図１３】図１２に示された突没部が挿入口寄りに移動した状態を拡大して示す説明図である。
【図１４】図１３に示された突没部が更に挿入口寄りに移動した状態を拡大して示す説明図である。
【図１５】図１４に示された突没部が挿入口から離れる方向に移動した状態を拡大して示す説明図である。
【図１６】図１５に示された突没部が更に挿入口から離れる方向に移動した状態を拡大して示す説明図である。
【符号の説明】
【００６９】
１  ＣＤプレーヤ
２  ＣＤ（記録媒体）
３  機器本体
４  モータ（駆動源）
７  回転振動部
２０  搬送ローラ
２１ａ  一端部
２１ｂ  他端部
２３  歯車(歯車部材)
２８  圧電振動子
３３  コイルばね（付勢手段）
３５  突没部
Ｙ  奥行き方向
【図１】
2009181664.tif 000003
【図２】
2009181664.tif 000004
【図３】
2009181664.tif 000005
【図４】
2009181664.tif 000006
【図５】
2009181664.tif 000007
【図６】
2009181664.tif 000008
【図７】
2009181664.tif 000009
【図８】
2009181664.tif 000010
【図９】
2009181664.tif 000011
【図１０】
2009181664.tif 000012
【図１１】
2009181664.tif 000013
【図１２】
2009181664.tif 000014
【図１３】
2009181664.tif 000015
【図１４】
2009181664.tif 000016
【図１５】
2009181664.tif 000017
【図１６】
2009181664.tif 000018